【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
インターコーディングの方法であって、
コーディングユニットを識別すること、
コーディングユニットに関連する情報を決定すること、
前記コーディングユニットに隣接した画素からなり、前記コーディングユニットの幅及び高さのうちの少なくとも一方に少なくとも部分的に基づくコーディングテンプレートを規定すること、
前記コーディングテンプレートに少なくとも部分的に基づいて前記コーディングユニットをエンコードすること、
を備えるインターコーディングの方法。
【請求項２】
前記コーディングテンプレートが前記コーディングユニットの左側に位置する画素から構成される、請求項１に記載のインターコーディングの方法。
【請求項３】
前記コーディングテンプレートが前記コーディングユニットの高さに等しい高さを有する、請求項２に記載のインターコーディングの方法。
【請求項４】
前記コーディングテンプレートが前記コーディングユニットの幅以下の幅を有する、請求項３に記載のインターコーディングの方法。
【請求項５】
前記コーディングテンプレートの幅が可変である、請求項４に記載のインターコーディングの方法。
【請求項６】
前記コーディングテンプレートが前記コーディングユニットの上側に位置する画素から構成される、請求項１に記載のインターコーディングの方法。
【請求項７】
前記コーディングテンプレートが前記コーディングユニットの幅に等しい幅を有する、請求項６に記載のインターコーディングの方法。
【請求項８】
前記コーディングテンプレートが前記コーディングユニットの高さ以下の高さを有する、請求項７に記載のインターコーディングの方法。
【請求項９】
前記コーディングテンプレートの高さが可変である、請求項８に記載のインターコーディングの方法。
【請求項１０】
前記コーディングテンプレートが前記コーディングユニットの上側及び左側に位置する画素から構成される、請求項１に記載のインターコーディングの方法。
【請求項１１】
前記コーディングテンプレートが前記コーディングユニットの高さ以下の厚さを有する、請求項１０に記載のインターコーディングの方法。
【請求項１２】
前記コーディングテンプレートが前記コーディングユニットの幅以下の厚さを有する、請求項１１に記載のインターコーディングの方法。
【請求項１３】
前記コーディングテンプレートの厚さが可変である、請求項１２に記載のインターコーディングの方法。
【請求項１４】
インターコーディングのシステムであって、
メモリ内にコーディングユニットを受けること、
コーディングユニットに関連する情報を決定してメモリ内に格納すること、
前記コーディングユニットに隣接した画素からなり、前記コーディングユニットの幅及び高さのうちの少なくとも一方に少なくとも部分的に基づくコーディングテンプレートを規定してメモリ内に格納すること、
前記コーディングテンプレートに少なくとも部分的に基づいて、前記コーディングユニットを、フレームレートアップコンバージョンを利用した信号でエンコードすること、
を備えるインターコーディングのシステム。
【請求項１５】
前記コーディングテンプレートが前記コーディングユニットの左側に位置する画素から構成され、
前記コーディングテンプレートが前記コーディングユニットの高さに等しい高さを有し、
前記コーディングテンプレートが前記コーディングユニットの幅以下の幅を有する、請求項１４に記載のインターコーディングのシステム。
【請求項１６】
前記コーディングテンプレートが前記コーディングユニットの上側に位置する画素から構成され、
前記コーディングテンプレートが前記コーディングユニットの幅に等しい幅を有し、
前記コーディングテンプレートが前記コーディングユニットの高さ以下の高さを有する、請求項１４に記載のインターコーディングのシステム。
【請求項１７】
前記コーディングテンプレートが前記コーディングユニットの上側に位置する画素及び前記コーディングユニットの左側に位置する画素から構成され、
前記コーディングテンプレートが前記コーディングユニットの高さ以下の厚さを有する、請求項１４に記載のインターコーディングのシステム。
【請求項１８】
前記コーディングテンプレートが前記コーディングユニットの幅以下の厚さを有する、請求項１７に記載のインターコーディングのシステム。
【請求項１９】
前記コーディングテンプレートの厚さが可変である、請求項１７に記載のインターコーディングのシステム。
【請求項２０】
プロセッサを用いてビデオをエンコードする方法であって、
ビデオフレームの再構成画素領域内に複数のコーディングユニット（ＣＵ）テンプレートを画定することであって、各ＣＵテンプレートは（１）コーディングユニットの現在のデコード位置の上側、及び（２）前記コーディングユニットの現在のデコード位置の左側のうちの少なくとも一方に位置し、前記各ＣＵテンプレートは、前記コーディングユニットと同じ前記ビデオのビデオフレーム内における前記コーディングユニットに隣接して位置し、前記各ＣＵテンプレートが他のＣＵテンプレートに対して高さ及び幅の異なる組み合わせを有する、前記複数のＣＵテンプレートを画定すること、
前記ビデオの第１ビデオフレーム内にあり前記ビデオの異なるビデオフレーム内にない前記コーディングユニットの前記デコード位置に対して前記ビデオの第１ビデオフレーム内における前記再構成画素領域内の前記各ＣＵテンプレートを検査し、規格に基づく当該検査に基づいて前記複数のＣＵテンプレートの一つを選択することであって、前記検査は、前記コーディングユニットを含む前記ビデオフレームと異なるビデオフレームに基づかず、前記規格に基づく前記検査に基づいて前記複数のＣＵテンプレートの一つを選択することは、前記ビデオの第１ビデオフレーム内における前記コーディングユニットの前記デコード位置と、前記ビデオの第１ビデオフレーム内における前記再構成画素領域内の前記ＣＵテンプレートとの間の前記検査の結果として決定される、前記複数のＣＵテンプレートの一つを選択すること、
前記複数のＣＵテンプレートのうちの前記選択された一つに少なくとも部分的に基づいて前記コーディングユニットをエンコードすること、
を備える、ビデオをエンコードする方法。
【請求項２１】
前記複数のＣＵテンプレートが、前記コーディングユニットの左側に位置する画素から構成されるＣＵテンプレートを含む、請求項２０に記載のビデオをエンコードする方法。
【請求項２２】
前記ＣＵテンプレートが前記コーディングユニットの高さに等しい高さを有する、請求項２１に記載のビデオをエンコードする方法。
【請求項２３】
前記ＣＵテンプレートが前記コーディングユニットの幅以下の幅を有する、請求項２２に記載のビデオをエンコードする方法。
【請求項２４】
前記ＣＵテンプレートの幅が可変である、請求項２３に記載のビデオをエンコードする方法。
【請求項２５】
前記複数のＣＵテンプレートが、前記コーディングユニットの上側に位置する画素から構成されるＣＵテンプレートを含む、請求項２０に記載のビデオをエンコードする方法。
【請求項２６】
前記ＣＵテンプレートが前記コーディングユニットの幅に等しい幅を有する、請求項２５に記載のビデオをエンコードする方法。
【請求項２７】
前記ＣＵテンプレートが前記コーディングユニットの高さ以下の高さを有する、請求項２６に記載のビデオをエンコードする方法。
【請求項２８】
前記ＣＵテンプレートの高さが可変である、請求項２７に記載のビデオをエンコードする方法。
【請求項２９】
前記複数のＣＵテンプレートが、前記コーディングユニットの上側及び左側に位置する画素から構成されるＣＵテンプレートを含む、請求項２０に記載のビデオをエンコードする方法。
【請求項３０】
前記ＣＵテンプレートが前記コーディングユニットの高さ以下の厚さを有する、請求項２９に記載のビデオをエンコードする方法。
【請求項３１】
前記ＣＵテンプレートが前記コーディングユニットの幅以下の厚さを有する、請求項３０に記載のビデオをエンコードする方法。
【請求項３２】
前記ＣＵテンプレートの厚さが可変である、請求項３１に記載のビデオをエンコードする方法。
【請求項３３】
ビデオをエンコードするシステムであって、
ビデオフレームの再構成画素領域内の複数のコーディングユニット（ＣＵ）テンプレートをメモリに受信することであって、各ＣＵテンプレートは（１）コーディングユニットの現在のデコード位置の上側、及び（２）前記コーディングユニットの現在のデコード位置の左側のうちの少なくとも一方に位置し、前記各ＣＵテンプレートは、前記コーディングユニットと同じ前記ビデオのビデオフレーム内における前記コーディングユニットに隣接して位置し、前記各ＣＵテンプレートが他のＣＵテンプレートに対して高さ及び幅の異なる組み合わせを有する、前記複数のＣＵテンプレートをメモリに受信すること、
プロセッサにより、前記ビデオの第１ビデオフレーム内にあり前記ビデオの異なるビデオフレーム内にない前記コーディングユニットの前記デコード位置に対して前記ビデオの第１ビデオフレーム内における前記再構成画素領域内の前記各ＣＵテンプレートを検査し、規格に基づき前記複数のＣＵテンプレートの最良の一つを選択することであって、前記検査は、前記コーディングユニットを含む前記ビデオフレームと異なるビデオフレームに基づかず、前記規格に基づき前記複数のＣＵテンプレートの最良の一つを選択することは、前記ビデオの第１ビデオフレーム内における前記コーディングユニットの前記デコード位置と、前記ビデオの第１ビデオフレーム内における前記再構成画素領域内の前記ＣＵテンプレートとの間の前記検査の結果として決定される、前記複数のＣＵテンプレートの最良の一つを選択すること、
前記プロセッサにより、前記複数のＣＵテンプレートのうちの前記選択された一つに少なくとも部分的に基づいて前記コーディングユニットをエンコードすること、
を備える、ビデオをエンコードするシステム。
【請求項３４】
前記複数のＣＵテンプレートが、前記コーディングユニットの左側に位置する画素から構成されるＣＵテンプレートを含み、
前記ＣＵテンプレートが前記コーディングユニットの高さに等しい高さを有し、
前記ＣＵテンプレートが前記コーディングユニットの幅以下の幅を有する、請求項３３に記載のビデオをエンコードするシステム。
【請求項３５】
前記複数のＣＵテンプレートが、前記コーディングユニットの上側に位置する画素から構成されるＣＵテンプレートを含み、
前記ＣＵテンプレートが前記コーディングユニットの幅に等しい幅を有し、
前記ＣＵテンプレートが前記コーディングユニットの高さ以下の高さを有する、請求項３３に記載のビデオをエンコードするシステム。
【請求項３６】
前記複数のＣＵテンプレートが、前記コーディングユニットの上側及び左側に位置する画素から構成されるＣＵテンプレートを含み、
前記ＣＵテンプレートが前記コーディングユニットの高さ以下の厚さを有する、請求項３３に記載のビデオをエンコードするシステム。
【請求項３７】
前記ＣＵテンプレートが前記コーディングユニットの幅以下の厚さを有する、請求項３６に記載のビデオをエンコードするシステム。
【請求項３８】
前記ＣＵテンプレートの厚さが可変である、請求項３６に記載のビデオをエンコードするシステム。